(57)【要約】  【課題】特別の工具を用いることなく、取付部材を回動させるだけで天井等の取り付け位置に簡便に固定可能な火災警報器を提供する。  【解決手段】取付部材２の中央部に取付ネジ４の第１のネジ部４ａを挿通させる挿通孔１１ａを形成するとともに、第２のネジ部４ｂを螺合するネジ溝１１ｂを形成する。取付部材２の取付に際しては、第１のネジ部４ａをネジ挿通孔１１ａに挿通させ、次いでネジ溝１１ｂに第２のネジ部４ｂを螺合させて取付部材２と取付ネジ４とを一体化する。次に、取付部材２全体を手指で掴み、第１のネジ部４ａの先端を天井３の側面に当て付け、そのまま回動させる。第１のネジ部４ａが天井３に切り込み、回動不可になった時点で取付が完了する。取付部材２を特別な工具を用いることなく、楽な作業で所望位置に固定することができる。【選択図】        図１
2008242771.tif 000002
【特許請求の範囲】
【請求項１】
設置面に取り付けられる火災警報器において、
前記設置面に固定されて警報器本体が取り付けられる取付部材と、
前記設置面に螺入する第1のネジ部を有し、該第1のネジ部によって前記設置面に前記取付部材を螺着する取付ネジと、
前記取付部材と前記取付ネジとを固定し、両者を一体で回動させるネジ回し機構と、
を備えていることを特徴とする火災警報器。
【請求項２】
前記ネジ回し機構は、前記取付部材の中央部に設けられた螺着孔と、前記取付ネジの一部に設けられ、前記第１のネジ部のネジ溝に対し逆方向のネジ溝に形成され、前記螺着孔に螺合される第２のネジ部と、によって構成されていることを特徴とする請求項1記載の火災警報器。
【請求項３】
前記ネジ回し機構は、前記取付部材の中央部に設けられた被嵌合部と、前記取付ネジに、前記被嵌合部に嵌合するように設けられた嵌合部と、によって構成されていることを特徴とする請求項１記載の火災警報器。
【請求項４】
前記ネジ回し機構は、前記取付部材の中央部に設けられたガイド溝部と、前記取付ネジに設けられ、前記ガイド溝部にガイドされ且つ仮止めされるガイド突起と、により構成されていることを特徴とする請求項１記載の火災警報器。
【請求項５】
前記取付部材の外周方向に設けた挿通孔と、該挿通孔に挿入して前記取付部材を前記設置面に固定させる回転防止ピンと、を備えていることを特徴とする請求項１，２、３、又は、４記載の火災警報器。
【発明の詳細な説明】
【技術分野】
【０００１】
本発明は、天井や壁面等の所望位置に、特別な技能や工具を用いることなく簡便に取り付け得るように構成した火災警報器に関するものである。
【背景技術】
【０００２】
一般家庭においても、火災予防や火災発生時の検知システムとして、火災警報器が設置されるようになってきた。
従来から、火災警報器として種々のものが提案されているが、以下にその一例として特開２００６−２４４４０８号公報により開示された「検知器」の概要を説明する。
【０００３】
即ち、前記検知器は、略円板状の取付ベースを天井等に固定し、この取付ベースに各種回路部品を組み込んだ本体を固定する構成になっている。
そして、検知器を天井等に固定する場合は、先ず梱包から取付ベースや本体、十字穴付きタッピンネジ等の取付ネジを取り出す。
次いで、取付ベースの貫通穴に取付ネジを挿通し、一方の手に持って設置面に対向させる。この状態で、他方の手でドライバー等の工具を用いて取付ネジを回転させ、設置面に取付ベースをネジ止め固定する。
この作業に続いて、固定された取付ベースに本体を被せるようにし、これを回動させて取り付けベースに固定する。
【０００４】
【特許文献１】特開２００６−２４４４０８号公報
【発明の開示】
【発明が解決しようとする課題】
【０００５】
しかし、本発明者の検討によると、検知器の取付けについて新たな問題点が明らかになった。
近年、防災意識の高まりから、一般家庭においても火災警報器やガス検知器等を設置するようになってきた。住宅用火災警報器を例に述べると、円板状の取付ベースや報知器本体、取付ネジ等がセットになって配送用の段ボール箱に収納されている。
【０００６】
火災警報器を例えば天井等に取り付ける場合は、従来例と同様に取付ベースに形成したネジ挿通孔（所謂バカ穴）に取付ネジを挿入し、一方の手で取付ネジが抜け落ちないように押えながら取付ベースを天井に押し付け、他方の手でドライバーを使ってネジを締め付けていた。この作業は、一般ユーザーが天井を向きながら行うものであり、非常にやりにくい作業であった。
しかも、前記作業は不慣れな者が不安定な脚立などの上で行うのであるから、取付ネジが斜めに締め付けられることもあり、この場合は取付ベースが天井面にぴったり沿わず、がたついてしまうこともあった。特に、住宅用火災警報器の設置を進めたい高齢者には、難しい作業であった。
また、ドライバー等の工具が必要であり、ドライバーを備えていない家庭はわざわざ購入しなければならなかった。
【０００７】
本発明は、前記問題点に鑑みてなされたものであり、その目的は天井面などに簡便且つ正確に取り付け得る火災警報器を提供することにある。
【課題を解決するための手段】
【０００８】
この発明は、設置面に取り付けられる火災警報器において、前記設置面に固定されて警報器本体が取り付けられる取付部材と、前記設置面に螺入する第1のネジ部を有し、該第1のネジ部によって前記設置面に前記取付部材を螺着する取付ネジと、前記取付部材と前記取付ネジとを固定し、両者を一体で回動させるネジ回し機構と、を備えていることを特徴とする。
【０００９】
この発明の前記ネジ回し機構は、前記取付部材の中央部に設けられた螺着孔と、前記取付ネジの一部に設けられ、前記第１のネジ部のネジ溝に対し逆方向のネジ溝に形成され、前記螺着孔に螺合される第２のネジ部と、によって構成されていることを特徴とする。この発明の前記ネジ回し機構は、前記取付部材の中央部に設けられた被嵌合部と、前記取付ネジに、前記被嵌合部に嵌合するように設けられた嵌合部と、によって構成されていることを特徴とする。
【００１０】
この発明の前記ネジ回し機構は、前記取付部材の中央部に設けられたガイド溝部と、前記取付ネジに設けられ、前記ガイド溝部にガイドされ且つ仮止めされるガイド突起と、により構成されていることを特徴とする。この発明は、前記取付部材の外周方向に設けた挿通孔と、該挿通孔に挿入して前記取付部材を前記設置面に固定させる回転防止ピンと、を備えていることを特徴とする。
【発明の効果】
【００１１】
本発明は前記のように構成したので、下記のような種々の効果を奏する。
即ち、天井等の所望の設置面に取り付けられる取付部材と取付ネジとを一体で回動させる機構(ネジ回し機構)を設けたので、一般ユーザーが取付部材、即ち取付ベースを天井等に取り付ける場合は、片手で取付部材の外周囲を掴み、取付ネジの先端を天井等に当て付け、そのまま回動することにより取付部材を天井等に締め付け固定することができる。従って、天井等への固定作業を片手で簡単に行うことができ、ドライバー等の工具も不要になる。
【発明を実施するための最良の形態】
【００１２】
本発明者は、前記問題を解決するため研究、実験を重ねた結果、次のようにすればよいことが解った。
取付部材を所望位置に取り付けるに先立って、ネジ回し機構として、取付部材と取付ネジとを一体化する。その構成としては、特別の工具や接着剤等を用いることなく、しかもワンタッチ動作と言えるほど簡単であることが望ましい。
以上の観点から、取付部材の中央部に取付ネジの一端をネジ留め固定する構成、更に取付部材の中央部に設けた被嵌合部に取付ネジの一端を嵌合する構成等、種々の構成にした。
これらの構成によれば、取付部材と取付ネジとが一体化されるので、ユーザーは取付部材を片手で掴んで取付ネジの先端を取付位置に当て付け、そのまま回動させるだけで、ネジ締め固定することができる。
【実施例】
【００１３】
以下に、本発明の第1実施例を図１〜図５を参照して詳細に説明する。
火災警報器１を構成する取付部材２、(例えば、取付ベース)について説明すると、各図に示すように円板状に形成されている。取付部材２は、図１に示すように一般家屋の例えば天井３（設置面の一例）である石膏ボード等の表面に、取付ネジ４によって締め付け固定されるものである。そして、図１に示すように取付部材２を固定した後、下側から想像線で示すように警報器本体５を取り付け、火災警報器１の取り付けが完了する。
【００１４】
なお、取付部材２は、合成樹脂を一体成型したものであり、中央部に取付ネジ４を固定するための固定突起１１（螺着孔の一例）、外周方向に後述する回転防止ピン１２を差し込むためのピン挿通孔１３ａ、１３ｂ、更に他の目的に利用可能な取付用の長孔１４や丸孔１５、突状枠部１６等が一体に形成されている。ここで取付部材２の形状は、円板状に限らず、四角形状などでもよい。
【００１５】
取付ネジ４は、図４に示すように２種のネジ部を備えている。即ち、先端の第１のネジ部４ａは所謂木ネジに構成され、中央の第２のネジ部４ｂが取付ネジ４を取付部材２に固定するためのネジ部に相当する。そして、第１のネジ部４ａのネジ溝に対し、第２のネジ部４ｂのネジ溝は逆溝(逆方向のねじ溝)に形成され、第１のネジ部４ａの直径に対し、第２のネジ部４ｂの直径が大径に形成されている。また、取付ネジ４は、一端に第2のネジ部４ｂの直径に対し、大径の把持部４ｃが形成されている。
【００１６】
一方、固定突起１１の中心部には、第１のネジ部４ａを挿通させるネジ挿通孔１１ａが形成され、内側面には第２のネジ部４ｂに螺合するネジ溝１１ｂが形成されている。この構成によれば、第１のネジ部４ａはネジ挿通孔１１ａを挿通するが、第２のネジ部１１ｂは挿通できず、ネジ溝１１ｂに螺合するようになる。
【００１７】
次に、取付部材２の取付方法を説明する。
この取付に際しては、図示しない梱包箱から取付部材２や取付ネジ４を取り出す。次いで、取付部材２の下側面（図３にあっては矢印ａ方向）から、ネジ挿通孔１１ａに取付ネジ４を差し込む。この際、前記直径の違いから第１のネジ部４ａはネジ挿通孔１１ａを抜けるが、第２のネジ部４ｂがネジ溝１１ｂに係止するので、取付ネジ４全体が抜け落ちることはない。
【００１８】
この状態で、取付ネジ４の把持部４ｃを手指でつまみ、取付ネジ４全体を回転させて第２のネジ部４ｂをネジ溝１１ｂに螺合させ、取付部材２と取付ネジ４とを一体化する。なお、把持部４ｃには前記螺合を行いやすくするために、外周囲に滑り止め用のローレットを形成するか、或いは梨地仕上げ等の種々の処理が施される。また、ネジ溝１１ｂは取付ネジ４を取付部材２に固定するためのものであるから、螺条数は少なくてよい。
【００１９】
以上のように取付部材２と取付ネジ４とを一体化した後、取付部材２の外周囲を手指で掴み、取付ネジ４の先端を天井３の下面、即ち所望の取付位置に差し込むように強く押す。この状態で、ネジ取り付け時とは逆方向に取付部材２全体を回動させると、第１のネジ部４ａの切り込み作用によって取付部材２が次第に天井３に接近し、回転不可になった時点で図１に示すように固定される。
そして、ピン挿通孔１３ａ、１３ｂに回転防止ピン１２が差し込まれて、取付ネジ４の緩みが防止された状態で、警報器本体５を取り付ける。なお、回転防止ピン１２の挿入は、作業者が挿入し易いどちらか一方のみに差し込むようにしてもよい。
【００２０】
前記取付方法から明らかなように、本実施例ではドライバー等の特別の工具を用いることなく、取付部材２を簡単に天井３に固定することができる。天井３は一般に木枠３ａの下側に石膏ボード３ｂを固定した構成になっているので、図１に示すように第１のネジ部４ａが木枠３ａに掛かる位置に固定することが好ましい。
【００２１】
また、取付部材２の上側面が石膏ボード３ｂの側面を摺る可能性があるので、化粧用のクロス等を傷つけないように、図５に想像線で示すように薄いシート１７を介在させてもよい。何れにしても、本実施例によれば、取付部材２を回動させるという簡単な作業で、取付部材２を天井３に固定することができる。
【００２２】
次に、図６及び図７を参照して本発明の第２実施例を説明する。
本実施例と前記第１実施例とは、取付部材３１のネジ固定構造及び取付ネジ３２の構造が異なっている。
【００２３】
即ち、取付部材３１の中央部には、取付ネジ３２のネジ部３２ａを挿通させる挿通孔３３と、取付ネジ３２の一端に形成された平面四角形の板状の固定部３２ｂ（嵌合部の一例）を回動不可に固定するための枠状の係止部３４(被嵌合部の一例)とが設けられている。
【００２４】
この構成にあっては、取付部材３１と取付ネジ３２とを下記のように一体化する。前記のように梱包箱から取付部材３１と取付ネジ３２とを取り出した後、ネジ部３２ａをネジ挿通孔３３に挿入する。この結果、固定部３２ｂが係止部３４の上端、言い換えれば開口部分を閉塞するようになるが、角部を合わせた状態で強く押すと、固定部３２ｂが係止部３４内に圧入される。そして、係止部３４のエッジ部分３４ａが弾性復帰し、各図に示すように取付部材３１と取付ネジ３２とが一体化される。
【００２５】
天井３への取り付けに際しては、前記第１実施例と同様に取付部材３１を手指で掴み、ネジ部３２ａの先端を天井３に押し付けた後、前記同様に取付部材３１をネジの切り込みに合わせて回動させる。この結果、図６に示すように取付部材３１が天井３に固定されるが、本実施例においてもドライバー等を用いることなく、簡単な操作で取付部材３１を天井３に固定することができる。
【００２６】
なお、取付部材３１と取付ネジ３２との固定をより簡便に行うために、係止部３４に形成したエッジ部分３４ａを舌片状に形成し、取付ネジ３２の圧入を少しの力で行い得るようにしてもよい。
また、固定部３２と係止部３４の形状は、上記第2実施例の形状に限定されず、取付ネジ３２と取付部材３１とを固定し、両者を一体で回動させるネジ回し機構として機能する形状であればよく、例えば、平面三角形の板状及びそれに嵌合する形状等とすることもできる。
【００２７】
次に、図８及び図９を参照して本発明の第３実施例を説明する。
本実施例と前記各実施例とは、取付部材と取付ネジとの固定構造が異なっている。
【００２８】
本実施例にあっては、取付部材４１の中央部に図８に示すように環状の枠体に形成された係止部４２が形成されている。更に、係止部４２の対向する位置に、側面から見てＬ字状のガイド４２ａ(ガイド溝部の一部)が形成されている。また、係止部４２内の中央部には、取付ネジ４３のネジ部４３ａを挿通させるための挿通孔４２ｂが形成されている。
【００２９】
一方、取付ネジ４３は、ネジ部４３ａと前記ガイド部４２ａにガイドされ且つ係止する係止ピン４３ｂ(ガイド突起の一例)とを備えている。
【００３０】
次に、取付部材４１と取付ネジ４３との取付方法を説明する。
取付ネジ４３のネジ部４３ａを取付部材４１に形成した挿通孔４２ｂに差し込み、次いで係止ピン４３ｂを矢印ｂに示すようにガイド４２ａに挿入する。これだけの作業で、取付部材４１に取付ネジ４３が取り付けられる。
【００３１】
この状態で取付部材４１を手指で掴み、取付ネジ４３の先端を天井３に押し付け、ネジ切り方向に回動させると、係止ピン４３ｂがガイド４２ａによって回動付勢され、これと一体の取付ネジ４３全体を天井３にねじ込む。
従って、本実施例においても、ドライバー等の工具を用いることなく、取付部材４１を回動させる、という簡単な作業で取付部材４１を天井３に固定することができる。作業者は、仰向けでのネジ止めといった苦しい作業が不要になる。
【００３２】
ところで、火災警報器１は、警報器本体５の外面に、音響停止兼試験用押しボタン（不図示）が設けられている。そして、壁面設置の場合は、押しボタンが下方に位置するように、火災警報器１を取り付ける必要がある。
【００３３】
一般的に警報器本体５と取付部材２、３１、４１との係合構造の関係で、取付部材２、３１、４１に取付けられた警報器本体５の向き（押しボタンの位置）は一義的に定まることから、取付部材２、３１、４１は、例えば、図２のように、ダルマ穴１４を壁面上側にして取り付ける必要があり、前記全ての実施例において、取付部材２、３１、４１の背面側が壁面に当接して取付ネジ４、３２、４３による螺着が完了した状態で、ダルマ穴１４が壁面上側に位置するとは限らないという問題があった。
【００３４】
それを解決するため、前記全ての実施例において、取付部材２、３１、４１の背面側に、例えば、取付ネジ４、３２、４３のネジ部４ａ、３２ａ、４３ａのネジ山一周分の厚さを有する弾性体（ゴムパッキン、スポンジ等）を設けるようにすることもできる。
【００３５】
このようにすることで、取付部材２、３１、４１の背面側（この場合は、弾性体）が壁面に当接して、取付部材２、３１、４１が壁面に取り付け固定された状態から、さらに、取付部材２、３１、４１を回動させてダルマ穴１４を上方に位置させるように調整することができ、警報器本体５と取付部材２、３１、４１を係合させたときに、押しボタンが下方に位置するように、火災警報器１を取り付けることができる。なお、弾性体の直径は、取付部材２、３１、４１と同等の直径とすると、取付部材２、３１、４１と設置面との当接面積が大きく、良好に壁面に取り付け固定することができるが、小径でもよい。
【図面の簡単な説明】
【００３６】
【図１】本発明の第１実施例を示す火災警報器の断面図である。
【図２】取付部材の構成を示す平面図である。
【図３】取付部材の構成を示す断面図である。
【図４】取付ネジの構成を示す斜視図である。
【図５】取付部材と取付ネジとの一体化を示す斜視図である。
【図６】本発明の第２実施例を示す取付部材の断面図である。
【図７】取付部材の要部の平面図である。
【図８】本発明の第３実施例を示す取付部材及び取付ネジの斜視図である。
【図９】取付部材の固定状態を示す断面図である。
【符号の説明】
【００３７】
１    火災警報器
２    取付部材
３１  取付部材，
４１  取付部材
３    天井(設置面)
４    取付ネジ
３２  取付ネジ
４３  取付ネジ
４ａ  第１のネジ部
４ｂ  第２のネジ部
１１    固定突起(螺着孔)
１１ｂ  ネジ溝
１２    回転防止ピン
１３ａ  ピン挿通孔
１３ｂ  ピン挿通孔
３４    係止部
４２    係止部
【図１】
2008242771.tif 000003
【図２】
2008242771.tif 000004
【図３】
2008242771.tif 000005
【図４】
2008242771.tif 000006
【図５】
2008242771.tif 000007
【図６】
2008242771.tif 000008
【図７】
2008242771.tif 000009
【図８】
2008242771.tif 000010
【図９】
2008242771.tif 000011